(57)【要約】      （修正有）【課題】検温対象者の自由な運動を拘束することなく体温を一定時間間隔に計測しこれを記録する持続的に装着可能で外部から無線で記録データを読み取り可能な体温記録計を提供する。【解決手段】検温対象者の体温を計測すると共に当該計測した温度を電圧値に変換する温度センサ３１と、記録媒体３３を有し温度センサ３１が出力する電圧値を所定のサンプリング周期において温度値に変換して記録媒体３３へ記録する制御手段３２と、アンテナ３６を介して外部装置と無線でデータの送受信を行なう通信手段３４と、これらを収納する筐体を覆い当該筐体が外気に晒されることを防ぐパッド部材２と、このパッド部材２で覆われた筐体の検温面が検温対象者の腋の下と接する状態で検温部に貼り付けるための貼付部材４とを備える。【選択図】図１
2008128691.tif 000002
【特許請求の範囲】
【請求項１】
検温対象者の体温を計測すると共に当該計測した温度を電圧値に変換する温度センサと、
記録媒体を有し前記温度センサが出力する前記電圧値を所定のサンプリング周期において温度値に変換して前記記録媒体へ記録する制御手段と、
前記温度センサと前記制御手段を作動させるための電池と、
前記制御手段により制御され、アンテナを介して外部装置と無線でデータの送受信を行なう通信手段と、
前記温度センサ、前記制御手段及び前記電池を収納する筐体と、
前記筐体を覆い当該筐体が外気に晒されることを防ぐパッド部材と、
前記パッド部材で覆われた前記筐体の検温面が前記検温対象者の検温部と接する状態で前記検温部に貼り付けるための貼付部材と、
を備えたことを特徴とする体温記録計。
【請求項２】
前記制御手段は、前記通信手段を介して前記外部装置から前記サンプリング周期の設定信号及び前記記録媒体に記録された前記温度値データの出力指示信号を入力することを特徴とする請求項１に記載の体温記録計。
【請求項３】
前記制御手段は、前記外部装置から前記温度値データの出力指示信号を受信した場合には、前記通信手段を介して前記記録媒体に記録された温度値データを記録順に出力することを特徴とする請求項２に記載の温度記録計。
【請求項４】
前記制御手段は、前記外部装置に対して前記記録媒体に記録された温度値データを送出した後に、当該送出した温度値データを消去し、前記外部装置により設定されたサンプリング周期毎に前記記録媒体への温度値データの記録を再開することを特徴とする請求項２に記載の温度記録計。
【請求項５】
前記制御手段及び前記通信手段は、単一のＩＣチップにより構成されることを特徴とする請求項１乃至４の何れかの項に記載の温度記録計。
【請求項６】
前記アンテナは、前記貼付部材の周縁に沿ってループ状に配置されることを特徴とする請求項１に記載の温度記録計。
【請求項７】
前記パッド部材は、銀イオンを含有することを特徴とする請求項１に記載の体温記録計。
【請求項８】
前記貼付部材と前記パッド部材との間には、前記パッド部材を覆う通気性シートが配置されていることを特徴とする請求項１に記載の体温記録計。
【請求項９】
前記パッド部材は、さらに水分を吸収する乾燥剤を含有することを特徴とする請求項６に記載の体温記録計。
【請求項１０】
前記温度センサの温度検出部は、前記筐体内の検温面中心部に配置されている請求項１に記載の体温記録計。
【請求項１１】
前記貼付部材は、防菌処理された粘着フィルムである請求項１に記載の体温記録計。
【請求項１２】
前記温度センサ、前記制御手段、前記電池及び前記通信手段を収納する筐体は、前記パッド部材及び前記貼付部材から取り外されて再使用される請求項１に記載の体温記録計。
【発明の詳細な説明】
【技術分野】
【０００１】
本発明は、検温対象の温度を一定時間間隔に計測しこれを長期間に亘って記録する温度記録計に関し、特に、体温記録計として使用され人体の腋の下に貼付され再利用可能な体温記録計に関する。
【背景技術】
【０００２】
従来の体温計の多くは、水銀柱や熱電対等の温度検出手段を使用し、検温部を検温対象者の腋の下や口腔内の舌下に入れて使用されるため、体温測定が終わるまで検温対象者の自由な活動を制限することとなる。そして、検温対象者の体温を定期的（一定時間毎）に計測する必要がある場合には、その都度体温測定を行い記録用紙などに筆記記録しておく必要があった。
【０００３】
このため、電子式の温度検出手段により検出された温度を電気信号に変換し、電気コードを介して体温表示部を備えた本体に送信し、体温表示部に測定値を表示する電子体温計が提案されている（例えば、特許文献１参照）。
【特許文献１】特開平７−２７６２５号公報
【発明の開示】
【発明が解決しようとする課題】
【０００４】
このような従来の電子体温計にあっては、例えば本体内にメモリを備えることにより検温対象者の体温の変化を、時間経過と共に長期に亘って記録することが可能であるが、温度検出部と本体とが電気コードで結ばれる構成のため、体温測定の度に検温対象者は電気コードにより拘束されるので自由な活動ができない。
【０００５】
また、検温対象者の検温部への温度検出部の装着性に問題があり、検温対象者にとって、温度検出部の装着が煩わしかったり、汗をかいた状態で長時間装着し続けると腋の下等の検温部がかぶれたりする等の問題があった。
【０００６】
本発明は、上記従来の問題点に鑑みてなされたものであって、検温対象者の自由な運動を拘束することなく体温を一定時間間隔に計測しこれを記録するものであって、装着に違和感を生じさせることなく検温対象者の体温を長期間計測し記録し続けて、記録された温度データを外部装置から容易に（すなわち、筐体を解体することなく）読み出し可能な体温記録計を提供することを目的としている。
【０００７】
本発明の他の目的は、長時間装着しても腋の下等の検温部にかぶれが生じたり腋臭等の発生を有効に防止すると共に温度測定記録部が再利用可能な体温記録計を提供することにある。
【課題を解決するための手段】
【０００８】
上記課題を解決するために、本願は、検温対象者の体温を計測すると共に当該計測した温度を電圧値に変換する温度センサと、記録媒体を有し前記温度センサが出力する前記電圧値を所定のサンプリング周期において温度値に変換して前記記録媒体へ記録する制御手段と、前記温度センサと前記制御手段を作動させるための電池と、前記制御手段により制御され、アンテナを介して外部装置と無線でデータの送受信を行なう通信手段と、前記温度センサ、前記制御手段及び前記電池を収納する筐体と、前記筐体を覆い当該筐体が外気に晒されることを防ぐパッド部材と、前記パッド部材で覆われた前記筐体の検温面が前記検温対象者の検温部と接する状態で前記検温部に貼り付けるための貼付部材とを備えたことを特徴とする体温記録計を提供するものである。
【０００９】
これにより、本体温記録計は、検温対象者の自由な動きを束縛することなく長期間に亘って体温を一定時間毎に正確に測定し記録すると共に、当該記録された温度記録データを外部から容易に読み出すことを可能にしたのである。
【００１０】
そして、前記制御手段は、前記通信手段を介して前記外部装置から前記サンプリング周期の設定信号及び前記記録媒体に記録された前記温度値データの出力指示信号を入力し、前記外部装置から前記温度値データの出力指示信号を受信した場合には、前記通信手段を介して前記記録媒体に記録された温度値データを記録順に出力するのである。そして、前記制御手段は、前記外部装置に対して前記記録媒体に記録された温度値データを送出した後に、当該送出した温度値データを消去し、前記外部装置により設定されたサンプリング周期毎に前記記録媒体への温度値データの記録を再開することができるのである。
【００１１】
ここで、前記制御手段及び前記通信手段は、単一のＩＣチップにより構成することができ、腋の下に装着しても違和感を生じさせないサイズの温度記録計に構成することができるのである。
【００１２】
そして、前記アンテナは、前記貼付部材の周縁に沿ってループ状に配置されて電波を送受信するための大きなループ面積をとることができので、外部のデータ読取装置と容易にデータの交信を可能にするのである。
【００１３】
また、前記パッド部材は銀イオンを含有するので、銀イオンの作用効果により腋の下等の検温部において細菌の繁殖を防止し、皮膚のかぶれや腋臭等の悪臭の発生を同時に防止したのである。さらに、本体温記録計の前記貼付部材と前記パッド部材の間には、前記パッド部材を覆う通気性シートが配置されると共に、前記パッド部材は、水分を吸収する乾燥剤を含有することにより、皮膚のかぶれ防止効果や悪臭発生の防止効果をさらに向上させることができるのである。
【００１４】
ところで、前記温度センサの温度検出部は、前記筐体の検温面の内側中心部に配置されることにより検温対象者の体温をより正確に測定することができるのである。
【発明の効果】
【００１５】
以上説明したように、本発明に係る温度記録計によれば、温度の測定を行う部分と測定された温度の記録を行う部分とを一つの小サイズの筐体に纏めたので、体温計として使用された時には、測定中に検温対象者の行動を束縛することがない。また、記録された温度記録データを外部から容易に読み出すことを可能にしたのである。
【００１６】
さらに、パッド部材に含まれる銀イオンの作用効果により、腋の下等の検温部において細菌の繁殖を防止し、皮膚のかぶれや腋臭等の悪臭の発生を同時に防止するので、検温対象者の体温を長期に亘って記録できるのである。
【発明を実施するための最良の形態】
【００１７】
以下、本発明の体温記録計の実施形態の詳細について、図面を参照しつつ説明する。
【００１８】
図１は、本発明の第１の実施形態に係る体温記録計の全体構成を示す構成図であり、図１（ａ）は、本体温記録計の測定面側を示し、図１（ｂ）は、本体温記録計を横方向から見た側面図を示す。
【００１９】
図１において、本実施形態の体温記録計は、検温対象者の皮膚表面に貼り付けられる貼付部材等の貼付部材４と、当該貼付部材４の中央部に貼られたパッド部材２と、パッド部材２の中央に貼られ、検温対象者の温度を測定し記録する温度記録用ＩＣチップ３０と、貼付部材４の周縁に沿ってループ状に配置されて電波を送受信するためアンテナ３６と、を備える。そして、必要に応じて、貼付部材４とパッド部材２の間には、パッド部材２を覆う通気シート１を配置する。図１に示すように、アンテナ３６は、貼付部材４の周縁に沿って大きなループ面積をとることができので、外部のデータ読取装置（図示せず）との無線によるデータ交信を可能にしている。
【００２０】
貼付部材４は、布、紙、合成樹脂、シリコン樹脂、ゴム等を素材として構成され、その上面には人体に無害な粘着性の物質が塗布されており、検温対象者の人体の皮膚表面に貼り付けられた時に、この皮膚表面に付着する貼付剤が施されている。これにより、温度記録手段３の皮膚からの脱落を防止すると共にパッド部材２及び通気シート１を検温対象者の皮膚に密着させることができる。
【００２１】
また、パッド部材２は、検温対象者の汗を吸収することができるものとし、さらに、臭気を除去すると共に殺菌効果を持たせるために銀イオンと、汗等の水分を吸収する乾燥剤（例えば、シリカゲル）が含有されている。貼付部材４にも銀イオンを含有させておくことも可能である。このように、パッド部材２は、銀イオンを含有するので、その作用効果により腋の下等の検温部において細菌の繁殖を防止し、皮膚のかぶれや腋臭等の悪臭の発生を同時に防止したのである。
【００２２】
また、本体温記録計の貼付部材４とパッド部材２の間には、当該パッド部材２を覆う通気性シート１が配置されるので、パッド部材２に含有された水分を吸収する乾燥剤と相俟って、皮膚のかぶれ防止効果や悪臭発生の防止効果をさらに向上させることができたのである。
【００２３】
パッド部材２は、温度記録手段３を着脱可能に貼り付けることを可能にすると共に、温度記録用ＩＣチップ３０が外気（周囲温度）に晒されることによって体温の測定値に誤差が生じることを防止するために断熱作用を有する。そして、その上面には、貼付部材４と同様に粘着性物質が塗布されている。この粘着性物質により、検温対象者の人体の皮膚表面に粘性を持って付着させると共に、温度記録手段３を貼り付けることを可能にしている。
【００２４】
温度記録手段３は、検温対象者の温度の測定を行う温度センサ（図２の符合３１）と測定された温度の記録処理を行う温度記録部を構成する制御部（図２の符合３２）と、記録媒体（図２の符合３３）と、を備え、電池（図２の符合３５）を含めて全体が筐体の内部に収納されている。
【００２５】
なお、温度記録手段３は、前述のとおり、パッド部材２に着脱可能であるが、パッド部材２から引き剥がした時に、温度記録手段３の筐体表面に前記の粘着性の物質を付着させない素材特性を有する金属を使用する。
【００２６】
温度記録手段３が記録した検温対象者の体温は、外部のデータ読取装置（外部装置）と無線によって交信可能である。このため、本温度記録装置は、温度記録手段３内にＲＦインターフェース部３４（図２）及びアンテナ３６（図２）を備え、外部装置から計測条件や温度記録のサンプリング周期等の初期設定を受けると共に、当該設定条件に基づいて測定した温度記録データを外部装置に無線出力することを可能としている。尚、温度記録手段３は、計測条件等が設定されることにより、再利用が可能となる。
【００２７】
温度記録手段３の筐体を含めたサイズ及び重量は、検温対象者の腋の下等にはさんだ時に違和感や装着感の無いことが好ましく、例えば、直径が２０〔ｍｍ〕以下、重さを５．０〔ｇ〕以下とする。
【００２８】
図２は、本温度記録計の主要部を構成する温度記録用ＩＣチップの主要部の構成を示す構成図である。図２において、本実施形態に係る温度記録計の温度記録手段３の主要部は、温度を計測し、電圧値に変換する温度センサ３１と、前記電圧値を所定の周期で温度の数値に変換して記録媒体３３に記録すると共に外部装置に無線にて外部装置と交信するＩＣチップ３０と、電源となる電池３５と、を備える。そして、ＩＣチップ３０は、少なくとも、全体を制御する制御手段３２と、温度の数値データを記録するための記録媒体（メモリ）３３と、無線通信路を介して外部装置に温度データを送信するためのＲＦインターフェース部３４と、を備える。そして、これらは、一つの円形の熱伝導性に優れた金属（銅又はアルミニウム等）の筐体内に収容される。
【００２９】
また、本温度記録装置は、ＩＣチップ３０内のＲＦインターフェース部３４に接続されたアンテナ３６が、貼付部材４の周縁に沿ってループ状に配設されているので、外部のデータ読取装置（図示せず）との無線によるデータ交信を可能にしている。ここで、外部装置とデータ交信する電波の周波数は、例えば、１３．５〔ＭＨｚ〕帯域とし、この無線通信をＩＳＯ規格１５６９３対応の仕様で構成することが可能である。
【００３０】
温度センサ３１は、検温対象者の体温等の温度を計測し、この温度に対応する電圧値を出力する。温度センサ３１は、例えば、定電流が流される抵抗器の両端に電圧降下として生ずる電圧差を前記温度に対応する電圧値として出力する構成とすることが可能である。或いは、温度センサ３１は、熱伝対を使用する構成とすることも可能である。
【００３１】
ＲＦインターフェース部３４は、専用のデータ処理装置やパーソナルコンピュータ等の外部装置と制御部３２間において、データを双方向に無線交信するためのものである。ところで、電池３５を電源とした場合、ＲＦインターフェース部３４には、必ずしも通常のＩＣチップのような非接触電力伝送機能を持たせる必要はない。
【００３２】
温度センサ３１は、検温対象者の体温を計測し、この測定温度に対応する電圧値を出力する。温度センサ３１は、例えば、定電流が流される抵抗器の両端に電圧降下として生ずる電圧差を前記温度に対応する電圧値として出力する構成とすることが可能である。或いは、温度センサ３１は、熱伝対を使用する構成とすることも可能である。そして、温度センサ３１の温度検出先端部（図示せず）は、筐体内の検温面中心部に配置される。
【００３３】
制御部３２は、温度センサ３１から出力される電圧値を、所定のサンプリング周期（一定時間間隔）で、対応する温度値に変換し、当該変換された数値データを記録媒体３３に記録する。ここで、前記所定のサンプリング周期は、例えば、周期１乃至数秒での連続周期の間に、１分、２分、３分、４分、５分、１時間乃至数時間等の測定間隔を開けることが可能である。
【００３４】
本発明の温度記録計を再利用する際に、電池３５を交換することも可能ではあるが、本温度記録用ＩＣチップの電力消費量は僅少であるので、５乃至１０年程度の長期使用が可能であり、電池３５の交換は通常不要である。
【００３５】
図３は、本考案の第２の実施形態に係る体温記録計の全体構成を示す構成図であり、図３（ａ）は、本体温温度計の外皮面側を、図３（ｂ）は、温度測定面側を、そして、図３（ｃ）は、本体温記録計を横方向から見た側面図を、それぞれ示す。
【００３６】
この第２の実施形態の体温記録計も、上記した第１の実施形態のものと同様に、検温対象者の皮膚表面に貼り付けられる貼付部材等の貼付部材４と、当該貼付部材４の中央部に貼られたパッド部材２と、パッド部材２の中央に貼られ、検温対象者の温度を測定し記録する温度記録手段３と、貼付部材４の周縁に沿ってループ状に配置されて電波を送受信するためアンテナ３６と、を備える。そして、必要に応じて、貼付部材４とパッド部材２の間には、パッド部材２を覆う通気シート１を配置する。各手段及び部材については、第１の実施の形態と同様なので、ここでの重複記載は省略する。
【００３７】
図４は、本温度記録装置及び外部装置間でのデータ送受信と本温度記録装置における制御フローの例を示す。
【００３８】
本温度記録装置を構成するＩＣチップ３０は、図２に示すとおり、本温度記録装置を構成する制御部３２と記録媒体３３と、ＲＦインターフェース部３４と、を含む。ここで、制御部３２は、通信手段３４、３６を介して、外部装置（図示せず）から体温計測のサンプリング周期の設定信号の入力を受信し（Ｓ１）、これにより体温計測の時間間隔を規定するＩＣチップ３０内にタイマー値（ソフトウェアタイマー値）を設定する。次に、外部装置から計測開始の入力を受ける（Ｓ２）ことにより、当該設定されたサンプリング周期毎に温度センサ３１が出力する電圧値を温度値に変換して記録媒体３３へ順次記録する（Ｓ３）。
【００３９】
そして、外部装置から記録媒体３３に記録した温度値データを送出する出力指示信号を受信すると（Ｓ４）、記録媒体３３に記録された温度値データを記録順に出力する（Ｓ５）。そして、送出した温度値データは、記録媒体３３から消去され（Ｓ６）、計測停止指令を受信する（Ｓ７）まで、再び、外部装置から体温計測のサンプリング周期の設定信号の入力を受信し（Ｓ１）、当該設定されたサンプリング周期毎に温度センサ３１が出力する電圧値を温度値に変換して記録媒体３３へ順次記録するのである（Ｓ３）。
【００４０】
以上詳しく説明したように、本発明に係る体温記録計は、検温対象者の体温を計測すると共に当該計測した温度を電圧値に変換する温度センサと、記録媒体を有し前記温度センサが出力する前記電圧値を所定のサンプリング周期において温度値に変換して前記記録媒体へ記録する制御手段と、前記温度センサと前記制御手段を作動させるための電池と、前記制御手段により制御され、アンテナを介して外部装置と無線でデータの送受信を行なう通信手段と、前記温度センサ、前記制御手段及び前記電池を収納する筐体と、前記筐体を覆い当該筐体が外気に晒されることを防ぐパッド部材と、前記パッド部材で覆われた前記筐体の検温面が前記検温対象者の検温部と接する状態で前記検温部に貼り付けるための貼付部材とを備える。
【００４１】
これにより、本体温記録計は、検温対象者の自由な動きを束縛することなく長期間に亘って体温を一定時間毎に正確に測定し記録すると共に、当該記録された温度記録データを外部から無線で容易に読み出すことを可能にしたのである。
【００４２】
また、本体温記録計のパッド部材は、銀イオンと汗を吸収する乾燥剤を含有するので皮膚のかぶれや悪臭の発生を防止し、長期間に亘る違和感のない体温記録計の装着を可能にしたのである。
【産業上の利用可能性】
【００４３】
本発明は、検温対象の温度を一定時間間隔に計測しこれを記録する温度記録計に関し、特に体温記録計として使用され、人体の腋の下に貼付され外部から無線で記録データを読み取り可能な体温記録計に関するものであり、産業上の利用可能性を有する。
【図面の簡単な説明】
【００４４】
【図１】本発明の第１の実施形態に係る体温記録計の全体構成を示す構成図であり、（ａ）部は、本体温記録計の測定面側を、（ｂ）部は、本体温記録計を横方向から見た側面図を示す。
【図２】本体温記録計（温度記録用ＩＣチップ）の主要部の構成図を示す。
【図３】本発明の第２の実施形態に係る体温記録計の全体構成を示す構成図であり、（ａ）部は、本体温温度計の外皮面側を、（ｂ）部は、温度測定面側を、そして、（ｃ）部は、本体温記録計を横方向から見た側面図を、それぞれ示す。
【図４】本温度記録装置と外部装置間でのデータ送受信と本温度記録装置における制御フローの例を示す。
【符号の説明】
【００４５】
１：通気シート
２：パッド部材
３：温度記録手段
４：貼付部材
３０：温度記録用ＩＣチップ
３１：温度センサ
３２：制御手段（制御部）
３３：記録媒体
３４：ＲＦインターフェース手段
３５：電池
３６：アンテナ
【図１】
2008128691.tif 000003
【図２】
2008128691.tif 000004
【図３】
2008128691.tif 000005
【図４】
2008128691.tif 000006